(57)【特許請求の範囲】
【請求項１】
火災感知器を監視し、感知器が発報したときには、少なくとも、その感知器に近隣する、排煙機、排煙口などの防排煙機器を作動させる防災受信機から導出させた多重伝送線に、上記防排煙機器を接続した複数の中継器を接続し、各々の中継器に接続した上記防排煙機器の動作を定位に復帰させる方法において、
上記防災受信機は、上記防排煙機器の各々を、棟、階、機器種別などのグループ種別と対応させて記憶しており、１つの防排煙機器が選択され、選択された防排煙機器のグループ種別に属する防排煙機器の動作を一斉に定位に復帰させる操作がされたときには、その選択された防排煙機器のグループ種別に属する防排煙機器に対し、上記多重伝送線を介して、順次、復帰制御信号を送出して、当該グループ種別の防排煙機器を順次定位に復帰させることを特徴とする防排煙機器の一斉復帰制御方法。
【請求項２】
火災感知器を監視し、感知器が発報したときには、少なくとも、その感知器に近隣する、排煙機、排煙口などの防排煙機器を作動させる防災受信機から導出させた多重伝送線に、上記防排煙機器を接続した複数の中継器を接続して構成された防排煙機器制御システムにおいて、
上記防災受信機は、上記防排煙機器の各々を、棟、階、機器種別などのグループ種別と対応させて記憶した記憶手段と、
防排煙機器を選択し、また、選択された防排煙機器のグループ種別に属する防排煙機器の動作を一斉に定位に復帰させるために操作する操作手段と、
上記操作手段によって、１つの防排煙機器が選択され、選択された防排煙機器のグループ種別に属する防排煙機器の動作を一斉に定位にさせる操作がされたときには、上記記憶手段を参照して、その選択された防排煙機器のグループ種別に属する防排煙機器に対し、上記多重伝送線を介して、順次、復帰制御信号を送出して、当該グループ種別の防排煙機器を順次定位に復帰させる制御手段とを備えた、防排煙機器の一斉復帰制御方法を用いた防排煙機器制御システム。
【発明の詳細な説明】
【０００１】
【発明の属する技術分野】
本発明は、排煙機、排煙口などの防排煙機器の一斉復帰制御方法、及びその方法を用いた防排煙機器制御システムに関する。
【０００２】
【従来の技術】
従来からビルやマンション等では、防災監視室や管理室などに、防災受信機を設置するとともに、各部屋や住戸、フロアなどに火災感知器を設置して、煙濃度や周囲温度を検知し、火災の発生を監視している。
防災受信機は、火災感知器が発報したときに、予め、火災感知器に対応して設定された地区音響装置によって、火災の発生を報知し、ビル内に居る人に対し迅速な避難を促すとともに、発報した火災感知器に近隣する防排煙機器を連動制御して、ビルなどの中に防排煙区画を形成し、火災の延焼や煙の回り込みなどを防いでいる。
【０００３】
この連動制御される防排煙機器の中には排煙機と排煙口とで構成される排煙ダクトがあり、火災感知器が発報したときには、防災受信機が、排煙機と排煙口とを作動させて、火災によって発生した煙を排出させている。
図７は、従来の防排煙機器制御システムの構成の一例を示した図である。
防災受信機１０１は、多重伝送線Ｌ１００を導出し、各中継器１０２ａ，１０２ｂ，…を介して、防排煙機器として、排煙機１０３ａ，１０３ｂ，…と、排煙口（ダンパ）１０４ａ，１０４ｂ，…を接続している。ここに、排煙口１０４ａ，１０４ｂ，…とは、排煙機１０３ａ，１０３ｂ，…と、排煙の対象とするエリアとを結ぶ排煙ダクトＤａ，Ｄｂ，…（通風路）に設けられる開閉弁のことであり、排煙機１０３ａ，１０３ｂ，…の作動あるいは復帰とともに、開閉制御されるようになっている。
【０００４】
図８（ａ）には、排煙口１０４ａ，１０４ｂ，…の作動と、復帰して定位に戻ったときの状態を図示しており、図８（ｂ）には、排煙機１０３ａ，１０３ｂ，…の作動と、復帰して定位に戻ったときの状態を図示している。この例に従えば、図７に示したシステムでは、排煙口１０４ａ，１０４ｂと、排煙機１０３ａ，１０３ｂの各々は、作動状態を示している。
【０００５】
防災受信機１０１は、多重伝送線Ｌ１０１を介して接続された火災感知器Ｓのいずれかから火災信号を受けると、この火災感知器Ｓに対応した排煙口１０４ａ，１０４ｂに作動制御信号を送出して開制御し、その後に排煙機１０３ａ，１０３ｂに作動制御信号を送出してファンを回転させ、火災によって発生した煙を排出している。そして、火災が鎮火するなどで排煙が必要なくなると、各防排煙機器の設置場所に出向いて、手動で復帰させるか、復帰制御機能がある防災受信機１０１（中継器１０２ａ，１０２ｂ）では、各防排煙機器（排煙機１０３ａ，１０３ｂ、排煙口１０４ａ，１０４ｂ）に復帰制御信号を送出して、各々を定位に復帰させている。
【０００６】
図９は、その復帰制御のときに、防災受信機１０１に表示される画面の例である。ここでは、排煙機１０３ａ（▲１▼）、排煙機１０３ｂ（▲２▼）、排煙口１０４ａ（▲３▼）、排煙口１０４ｂ（▲４▼）の順で復帰制御を行っている（図７参照）。
【０００７】
【発明が解決しようとする課題】
ところが、上記従来の防排煙機器制御システムでは、防災受信機からの復帰制御信号の送出により、各防排煙機器を復帰させる場合であっても、１台ずつ防排煙機器を指定する必要があり、復帰させる防排煙機器が多い場合は特に操作が面倒であった。
【０００８】
また、図１０に示すように、排煙機を作動させたまま、排煙口を復帰させてしまうと、排煙ダクト内の空気圧が高くなり過ぎ（真空状態）、排煙ダクトが破損する危険性があるので、復帰させる防排煙機器の順序を考慮しながら、防災受信機を操作しなければならなかった。
本発明は、このような事情に鑑みてなされたものであり、防排煙機器の復帰制御が容易にでき、また、復帰制御する順序を間違うことがない、防排煙機器の一斉復帰制御方法、及びその方法を用いた防排煙機器制御システムを提供することを目的としている。
【０００９】
上記目的を達成するために、本発明の請求項１は、防排煙機器の一斉復帰制御方法を提案している。
請求項１では、火災感知器を監視し、感知器が発報したときには、少なくとも、その感知器に近隣する、排煙機、排煙口などの防排煙機器を作動させる防災受信機から導出させた多重伝送線に、防排煙機器を接続した複数の中継器を接続し、各々の中継器に接続した上記防排煙機器の動作を定位に復帰させる方法において、防災受信機は、防排煙機器の各々を、棟、階、機器種別などのグループ種別と対応させて記憶しており、１つの防排煙機器が選択され、選択された防排煙機器のグループ種別に属する防排煙機器の動作を一斉に定位に復帰を指示させる操作がされたときには、その選択された防排煙機器のグループ種別に属する防排煙機器に対し、多重伝送線を介して、順次、復帰制御信号を送出して、当該グループ種別の防排煙機器を順次定位に復帰させることを特徴とする。
【００１０】
これによって、１回の操作で、複数の防排煙機器を復帰させることができる。なお、防排煙機器には、排煙ダクトを構成する排煙機及び排煙口の他、復帰制御を可能とする復帰型のその他の防排煙機器を含んでいる。
請求項２では、防排煙機器制御システムを提案している。請求項２では、火災感知器を監視し、感知器が発報したときには、少なくとも、その感知器に近隣する、排煙機、排煙口などの防排煙機器を作動させる防災受信機から導出させた多重伝送線に、防排煙機器を接続した複数の中継器を接続して構成された防排煙機器制御システムにおいて、防災受信機は、上記防排煙機器の各々を、棟、階、機器種別などのグループ種別と対応させて記憶した記憶手段と、防排煙機器を選択し、また、選択された防排煙機器のグループ種別に属する防排煙機器の動作を一斉に定位に復帰させるために操作する操作手段と、操作手段によって、１つの防排煙機器が選択され、選択された防排煙機器のグループ種別に属する防排煙機器の動作を一斉に定位にさせる操作がされたときには、記憶手段を参照して、その選択された防排煙機器のグループ種別に属する防排煙機器に対し、多重伝送線を介して、順次、復帰制御信号を送出して、当該グループ種別の防排煙機器を順次定位に復帰させる制御手段とを備えている。
【００１４】
【発明の実施の形態】
以下に、本発明の実施の形態について、図面とともに説明する。
図１は、本発明の防排煙機器制御システムの構成の一例を示した図である。
ビルやマンション等の防災監視室や管理室などには、防災受信機１を設置する一方、この防災受信機１から導出された多重伝送線Ｌ１には、複数の中継器２ａ，２ｂ，…を接続し、更に、各々の中継器２ａ，２ｂ，…には、防排煙機器として、排煙ダクトＤａ，Ｄｂ，…を構成する排煙機３ａ，３ｂ，…と排煙口４ａ，４ｂ，…とを接続している。また、防災受信機１から導出された多重伝送線Ｌ２には、各部屋や住戸、フロアなどに設置された火災感知器Ｓを接続している。
【００１５】
なお、防災受信機１には、図示した以外に、ガス漏れ警報器や、消火ポンプの異常検知などを行う諸警報機器、地区音響装置、排煙機３ａ，３ｂ，…や排煙口４ａ，４ｂ，…以外の防排煙機器（自動閉鎖装置、防火戸や垂れ壁など）などの防災端末器を、接続することができる。
防災受信機１は、火災感知器Ｓなどの各防災端末器のアドレス情報を基に、多重伝送線Ｌ２を通じたポーリングによって、動作異常や回線の断線などを監視している。このような状態で、多重伝送線Ｌ２を介して、火災感知器Ｓのいずれかから火災信号を受けると、火災感知器Ｓの作動を示す表示灯（不図示）を点灯あるいは点滅させ、発報した火災感知器Ｓの設置箇所に対応した地区窓（不図示）を点灯あるいは点滅させたりし、内蔵した音響装置（不図示）から警報音を出力する。そして、予め、火災感知器Ｓに対応して設定された、地区音響装置（不図示）から警報を出力させる。
【００１６】
更に、防災受信機１は、中継器２ａ，２ｂ（防排煙中継器）に対して、作動制御信号を送出し、各中継器２ａ，２ｂによって、発報した火災感知器Ｓに対応して設定された排煙口４ａ，４ｂを開制御させ、その後、排煙機３ａ，３ｂに対して作動制御信号を送出して、そのファンを回転させ、火災によって発生した煙を排出させる。図１では、排煙口４ａ，４ｂと、排煙機３ａ，３ｂが作動している状態を示している（図８参照）。
【００１７】
そして、火災が鎮火するなどで排煙が必要なくなると、作動している排煙機３ａ，３ｂ、排煙口４ａ，４ｂの順で復帰制御信号を送出して、各々を定位に復帰させるが、本発明では、その復帰制御が一斉にできるようになっている。
その一斉復帰制御ために、防災受信機１は、防排煙機器（排煙機３ａ，３ｂ、排煙口４ａ，４ｂ）の各々を、棟、階、機器種別などのグループ種別と対応させて記憶しており、１つの防排煙機器が選択され、防排煙機器の一斉復帰を指示する操作がされたときには、その選択された防排煙機器のグループ種別に属する防排煙機器に対し、多重伝送線Ｌ１を介して、順次、復帰制御信号を送出して、各防排煙機器を復帰させる。
【００１８】
図２には、防災受信機１の画面表示の例を示しており、（ａ）に示すように、防排煙機器（排煙機３ａ，３ｂ、排煙口４ａ，４ｂ）に作動制御信号を送出し、作動させた後、（ｂ）に示すように、「１棟１階１」の排煙機３ａを選択して一斉復帰の操作がされると（▲１▼）、図１に示すように、設置場所が「１棟１階」で同じであり、機器種別が「排煙機」で同じある排煙機３ｂも同様に復帰させる。また、「１棟１階１」の排煙口４ａを選択して一斉復帰の操作がされると（▲２▼）、設置場所が「１棟１階」で同じであり、機器種別が「排煙口」で同じある排煙機４ｂも同様に復帰させる。
【００１９】
このように復帰させることによって、防災受信機１では、１回の遠隔操作で、複数の防排煙機器を復帰させることが出来る。特に、復帰させる防排煙機器が多い場合は操作回数が大幅に減り、また、操作ミスもなくなる。図１及び図２の例では、従来４回の操作が必要であったものが、２回の操作で済むことになる。
なお、ここでは、１つの防排煙機器を選択して、同じグループに属する防排煙機器の一斉復帰を指示するようにしているが、これには限定されず、防災受信機において、棟、階、機器種別などのグループ種別を直接指定して、そのグループ種別に属する防排煙機器に対し、順次、復帰制御信号を送出し、各防排煙機器を復帰させるようにしてもよい。
【００２０】
また、以上には、防排煙機器として、排煙機３ａ，３ｂと排煙口４ａ，４ｂとを復帰させる場合について説明したが、これには限定されず、自動閉鎖装置などの他の復帰型の防排煙機器も、同様に一斉に復帰させることができる。
次に、防災受信機１の内部構成を図３にブロック図で示す。
図において、１０はＣＰＵ等で構成され、防災受信機１の他の各手段を制御する制御手段、１１は多重伝送線Ｌ１を通じた中継器２ａ，２ｂとの多重伝送を制御するとともに、多重伝送線Ｌ２を通じた火災感知器Ｓとの多重伝送を制御する多重伝送手段、１２は各種スイッチなどで構成された操作手段、１３はＣＲＴや液晶画面などで構成された表示手段、１４は火災感知器Ｓと、これに連動する防排煙機器を対応させて記憶させた連動テーブル等を記憶した記憶手段である。
【００２１】
また、この防災受信機１の記憶手段１４には、防排煙機器の各々を、棟、階、機器種別などのグループ種別と対応させて記憶しており、制御手段１０は、操作手段１２のカーソルキーや一斉復帰スイッチなどの操作により、１つの防排煙機器が選択され、防排煙機器の一斉復帰を指示する操作がされたときには、記憶手段１４を参照して、その選択された防排煙機器のグループ種別に属し、作動している防排煙機器に対し、多重伝送線Ｌ１を介して、順次、復帰制御信号を送出し、各防排煙機器を復帰させる（図１と図２を参照）。
【００２２】
図４には、記憶手段１４の構成を模式的に示している。
ここには、防排煙機器の各々が、アドレスと、設置棟、階、地区といった管理単位と、機器種別によって分類され記憶されている。例えば、グループ「１棟１階」に属する「排煙機」を一斉に復帰させる場合には、防災受信機１から、アドレス「１００１」、「１００３」を指定して、順次、復帰制御信号が送出されることになる。なお、図示した構成は、火災感知器Ｓのアドレス等と対応して、各火災感知器Ｓに連動する防排煙機器のアドレス等を記憶する連動テーブルの一部であってもよい。
【００２３】
次に、防排煙機器の一斉復帰の別の方法について、図５及び図６とともに説明する。
防災受信機１は、防排煙機器（排煙機３ａ，３ｂ、排煙口４ａ，４ｂ）の作動順序を記憶しており、防排煙機器の一斉復帰を指示する操作がされたときには、最後に作動した防排煙機器から、作動した順序とは逆の順序に従って、各防排煙機器に対し、多重伝送線Ｌ１を介して、順次、復帰制御信号を送出して、各防排煙機器を復帰させる。
【００２４】
図６には、この場合の防災受信機１の画面表示の例を示しており、（ａ）では、防排煙機器（排煙機３ａ，３ｂ、排煙口４ａ，４ｂ）に順に作動制御信号を送出し、作動させた状況を時系列順に表示している。このとき同時に、このようなデータが、記憶手段１４に記憶される。すなわち、防災受信機１は、作動制御信号を受けた防排煙機器から返信されて来る動作確認信号を受信すると、防排煙機器の作動状況（作動順序）を記憶手段１４に順次記憶する。
【００２５】
このような状態で、同図（ｂ）に示すように、「１棟１階２」の排煙機３ｂを選択して一斉復帰の操作がされると、図５に示したように、（ａ）に示した作動順序（（イ）→（ロ）→（ハ）→（ニ））とは逆の順序（（ニ）→（ハ）→（ロ）→（イ））で復帰制御がされる（▲１▼→▲２▼→▲３▼→▲４▼）。
これによって、復帰順序を間違えることがなく、排煙機３ａ，３ｂの作動中は、必ず、それに対応した排煙口４ａ，４ｂも作動中（開状態）にしておくことができるので、排煙ダクトＤａ，Ｄｂが破損することがない。また、１回の操作で、複数の防排煙機器を復帰させることが出来る。
【００２６】
なお、ここでは、１つの防排煙機器を選択し、その選択した防排煙機器の作動以前に作動した防排煙機器を、復帰制御の対象としているが、これに限定されることはなく、操作手段１２の一斉復帰スイッチを操作すれば、その時点で作動している防排煙機器のすべてを、最も後に作動した防排煙機器から、作動順とは逆の順に復帰させるようにしてもよい。
【００２７】
また、復帰させる順序は、排煙機３ｂ→排煙口４ｂ→排煙機３ａ→排煙口４ａのように、排煙ダクトＤａ，Ｄｂ単位で復帰制御をするようにしてもよいが、排煙機３ａ，３ｂは、復帰制御信号を受けても、そのファンの回転はすぐには停止できないので、停止するまで待ってから排煙口４ａ，４ｂを閉じるようにしないと、依然として、排煙ダクトＤａ，Ｄｂが破損することが残るので、この点を考慮して、復帰させる必要がある。
【００２８】
このようにして、作動順序とは逆の順序で復帰制御を行うために、防災受信機１は、記憶手段１４に防排煙機器の作動順序を記憶しており、制御手段１０は、操作手段１２によって、防排煙機器の一斉復帰を指示する操作がされたときには、記憶手段１４を参照して、最後に作動した防排煙機器から、作動した順序とは逆の順序に従って、各防排煙機器に対し、多重伝送線Ｌ１を介して、順次、復帰制御信号を送出している（図３参照）。
【００２９】
なお、以上には、防排煙機器として、排煙機３ａ，３ｂと排煙口４ａ，４ｂとを復帰させる場合について説明したが、これには限定されず、自動閉鎖装置などの他の復帰型の防排煙機器も、復帰順序に制約がある場合は、同様にして、一斉に復帰させることができる。
【００３０】
【発明の効果】
以上の説明からも理解できるように、本発明の請求項１に記載の防排煙機器の一斉復帰制御方法では、防災受信機は、１つの防排煙機器が選択され、一斉復帰の操作がされたときには、その選択された防排煙機器のグループ種別に属する防排煙機器に対し、順次、復帰制御信号を送出して、各防排煙機器を復帰させる。したがって、１回の操作で、複数の防排煙機器が復帰できるので、従来のように防排煙機器を１つずつ選択する必要がなく、復帰制御の操作が簡単になる。
【００３２】
請求項２に記載の防排煙機器制御システムでは、防災受信機に防排煙機器の各々を、棟、階、機器種別などのグループ種別と対応させて記憶しておけば、防災受信機は、１つの防排煙機器が選択され、選択された一斉復帰の操作がされたときには、その選択された防排煙機器のグループ種別に属する防排煙機器に対し、順次、復帰制御信号を送出して、各防排煙機器を復帰させることができる。したがって、防災受信機では、１回の操作で、複数の防排煙機器が復帰できるので、従来に比べて復帰制御の操作が簡単になる。
【図面の簡単な説明】
【図１】本発明の防排煙機器制御システムの構成の一例を示した図である。
【図２】防災受信機の画面表示の例を示す図である。
【図３】防災受信機の構成の一例を示すブロック図である。
【図４】防災受信機の記憶手段の構成を模式的に示す図である。
【図５】本発明の防排煙機器制御システムの構成の他の例を示した図である。
【図６】防災受信機の画面表示の他の例を示す図である。
【図７】従来の防排煙機器制御システムの構成を示した図である。
【図８】排煙口と排煙機の状態を説明する図である。
【図９】従来の防災受信機の画面表示を示す図である。
【図１０】従来の防排煙機器制御システムの課題を説明する図である。
【符号の説明】
１              防災受信機
１０            制御手段
１２            操作手段
１４            記憶手段
２ａ，２ｂ，…  中継器
３ａ，３ｂ，…  排煙機
４ａ，４ｂ，…  排煙口
Ｄａ，Ｄｂ，…  排煙ダクト
Ｌ１，Ｌ２      多重伝送線
【図１】
0003629970.tif 000002
【図２】
0003629970.tif 000003
【図３】
0003629970.tif 000004
【図４】
0003629970.tif 000005
【図５】
0003629970.tif 000006
【図６】
0003629970.tif 000007
【図７】
0003629970.tif 000008
【図８】
0003629970.tif 000009
【図９】
0003629970.tif 000010
【図１０】
0003629970.tif 000011